【手続補正書】
【提出日】平成18年10月6日(2006.10.6)
【手続補正１】
【補正対象書類名】明細書
【補正対象項目名】全文
【補正方法】変更
【補正の内容】
【書類名】      明細書
【発明の名称】  包装された玩具製品
【特許請求の範囲】
【請求項１】  包装された玩具製品であって、前記製品は、多数の玩具エレメントを具備しており、結び付いている包装は、底面と頂面と底面及び頂面の間を延在している多数の側面とを備えている箱を具備しており、頂面は、少なくとも１つの透明開口部を形成されており、その透明開口部は、包装内に収められている物体の少なくとも一部を、観察者が、頂面におけるこの透明開口部を通して見ることを可能にし、包装は、少なくとも１つの区画室であって、この区画室内には、玩具製品の構成物である１つ以上の玩具エレメントが配置されるものを特徴としており、前記区画室は、箱の頂面における透明開口部の下に位置させられており、もって、区画室の内容物が、透明開口部を通して観察可能な包装された玩具製品において、
区画室が、細長い路として構成されており、その細長い路は、少なくとも１つの玩具エレメント内に配置されており、その玩具エレメントは、包装の運動により、路に沿った距離だけ玩具エレメントが移動させられるのを可能にする高さ及び幅を有しており、前記距離は、玩具エレメントの最大寸法に少なくとも対応していることを特徴とする包装された玩具製品。
【請求項２】  路が、その全縦方向において実質的に均一な幅を有していることを特徴とする請求項１の包装された玩具製品。
【請求項３】  頂面における透明開口部が、路の全縦方向において路に従っていることを特徴とする請求項１又は請求項２の包装された玩具製品。
【請求項４】  透明開口部が、透明プラスチックフィルムにより、頂面の平面内で閉じられていることを特徴とする請求項１〜請求項３のいずれか一項の包装された玩具製品。
【請求項５】  包装が、取り外し可能な挿入部材を特徴としており、前記挿入部材は、底部の内寸と実質的に同じ形状を有する頂面を有しているユニットにより、構成されており、且つ、路が、その挿入部材の頂面における押込み部として付形されており、且つ、頂面が、支持部であって、包装の頂面の下で、挿入部材の頂面を上方に持上げるものを設けられており、もって、頂面が、路の蓋としても機能することを特徴とする請求項１〜請求項４のいずれか一項の包装された玩具製品。
【請求項６】  挿入部材が、真空付形工程において付形されたプラスチックシートで構成されていることを特徴とする請求項５の包装された玩具製品。
【請求項７】  挿入部材が、路とは別の、挿入部材の頂面に形成されている１つ以上の押込み部を具備しており、前記押込み部は、玩具製品における他の玩具エレメントを収容するための区画室として機能することを特徴とする請求項５又は請求項６の包装された玩具製品。
【請求項８】  頂面が、少なくとも１つの別の透明開口部を有しており、この別の透明開口部は、観察者が、頂面におけるこの別の開口部を通して、別の区画室の内容物の少なくとも一部を見ることを可能にすることを特徴とする請求項７の包装された玩具製品。
【請求項９】  路が、少なくとも１つの湾曲を有している道路に従っていることを特徴とする請求項１〜請求項８のいずれか一項の包装された玩具製品。
【請求項１０】  ２つ以上の路を具備しており、各路において、１つ以上の玩具エレメントであって、前記路内で変位させられ得るものが、配置されていることを特徴とする請求項１〜請求項９のいずれか一項の包装された玩具製品。
【請求項１１】  玩具製品が、別のエレメントを具備しており、挿入部材の頂面における押込み部が、別のエレメントが押込み部内に位置させられ得るように且つ押込み部及び別のエレメントが前記路を形成すべく協力するように、構成されていることを特徴とする請求項５の包装された玩具製品。
【発明の詳細な説明】
【０００１】
本発明は、包装された玩具製品に関しており、その製品は、多数の玩具エレメントを具備していると共に、結び付いている包装は、底面と頂面と底面及び頂面の間を延在している多数の側面とを備えている箱を具備しており、そして、頂面は、少なくとも１つの透明開口部を設けられており、その透明開口部は、包装内に収められている物体の少なくとも一部を、観察者が、頂面におけるこの透明開口部を通して見ることを可能にし、そして、前記包装は、少なくとも１つの区画室であって、この区画室内には、玩具製品の構成物である１つ以上の玩具エレメントが配置されるものを形成されており、前記区画室は、箱の頂面における透明開口部の下に位置させられており、もって、区画室内に収容されている物体が、前記透明開口部を通して見られ得る。
【０００２】
上記のような包装された玩具製品の幾つかの具体例は、知られており、それらの具体例においては、箱内に収められている玩具製品を全体的に又は少なくとも部分的に観察者が容易に見ることができるような態様で、区画室内に収容される製品が、固定されるよう、区画室が、構成されている。
【０００３】
玩具組立セットのような、或るタイプの玩具に関しては、その中に含まれている物体の一部のみが、包装されている製品の観察者に見え、そのような玩具組立セットの多数の構成要素は、それらを包装すべく意図されている、区画室、箱又は袋の中に、多かれ少なかれ無秩序に配置される、ということが、特に望まれている。
【０００４】
従って、包装された玩具組立製品であって、この包装された玩具組立製品においては、包装の中に収められている製品のうちの僅かな部品のみが、蓋における透明開口部を通して見られ得る、ものも、知られており、この場合、玩具製品の残りの部品は、蓋の下で観察者には隠されたままである。
【０００５】
このことを考慮して、本発明の目的は、上述した種類の包装された製品を提供することであり、本発明によると、包装内に収められている玩具製品のうちの単一の構成物の容易な陳列に加えて、前記包装を開くことなく、包装内に収められている製品と遊ぶことが可能になる、というような態様で、その製品を或る程度操作することも可能である。
【０００６】
本発明によると、区画室が細長い路をなす構成において得られ、そして、その細長い路は、少なくとも１つの玩具エレメントを収容しており、前記玩具エレメントは、包装の運動によって玩具組立エレメントが路に沿った距離だけ移動させられることを可能にするような、高さ及び幅を有しており、前記路は、玩具エレメントの最大寸法に少なくとも対応している。
【０００７】
好適な実施例によると、頂面における透明開口部は、路の幅に対応する幅を、頂面の平面内に有している。これは、秩序だった状態又は組み立てられた状態で包装内に収められている製品の他の構成物を描写している絵又は印刷を路の隣の頂面に設けるときに、特に有用である。
【０００８】
更に、頂面における透明開口部が、路の全縦方向において路に従っていることが好ましい。
【０００９】
別の好適な実施例においては、透明開口部は、透明プラスチックフィルムにより、頂面の平面内で閉じられており、これは、包装を最終的に閉じるための別体の包装エレメントに対する必要性を排除する。
【００１０】
特に好適な実施例においては、底面が、取外し可能な挿入部材（インサート）を設けられており、この挿入部材は、底面の内寸と本質的に同じ形状を有する頂面を有しているユニットからなっており、そして、路が、挿入部材の頂面における押込み部として構成されており、前記頂面は、包装の頂面の下方で挿入部材における頂面を持ち上げる支持部を設けられており、これにより、包装の頂面が路用の蓋として同時に機能することが、可能になる。
【００１１】
この文脈において、挿入部材は、真空付形工程において付形されたプラスチックシートから有利になり得、このことは、包装のその部分が単純且つ安価な方法で製造され得るということを、意味する。
【００１２】
別の好適な実施例においては、挿入部材は、それが、路とは別に、この挿入部材の頂面に配置される１つ以上の別の区画室を有するよう、構成されており、前記別の区画室は、包装内の他の玩具エレメントを収容すべく機能する。
【００１３】
この文脈において、頂面が、少なくとも１つの別の透明開口部を有していて、この別の透明開口部が、別の区画室の内容物の少なくとも一部を観察者が包装の頂面におけるこの透明開口部を通して見ることを可能にするならば、玩具製品の残りの構成物のうちの幾つかは、観察者に見えるようになされ得る。
【００１４】
特に有利に、路は、少なくとも１つの湾曲を具備している道路を形成しており、これにより、包装内に収められている製品のテストを助成する種々の形状を有する路が形成される、ということが、達成され、もって、種々の効果が、包装の運動によって達成され得る。
【００１５】
更に、包装された玩具製品は、２つ以上の路を有利に収容し得、そして、各路が、１つ以上の変位可能に配置された玩具エレメントを収容しているならば、包装の運動によって更なる効果を達成することが、可能である。
【００１６】
特に好適な実施例によれば、路上に配置される包装された玩具製品は、モデル車両又はモデル船舶である。
【００１７】
本発明の別の好適な実施例においては、玩具製品は、別のエレメントを都合良く具備し得、そして、挿入部材の頂面における押込み部は、その別のエレメントがこの押込み部内に位置させられ得るように且つこの押込み部及びその別のエレメントが上述した路を共同で形成するように、構成されている。従って、これにより、路内に配置されている玩具エレメントが、車両、船舶等であり、包装された玩具製品が、レール、道路等をも具備しているならば、レール、道路等と、これらと組み合わされている車両又は船舶との機能及び相互作用を、包装内の車両又は船舶であってレール又は道路に沿って移動するものにより、見えるようにすることが可能である。
【００１８】
ここで、本発明が、図面を参照して、詳細に記載されよう。
【００１９】
図１及び図２は、特に玩具製品を扱っている、本発明に係る包装を示している。
【００２０】
包装は、矩形の底面２を有している底部１を具備しており、その底面２は、側面３によって境界を画されている。
【００２１】
更に、包装は、頂面５を有している蓋４を具備しており、その頂面５は、底面２に対応する矩形形状を備えており、そして、蓋４の頂面５は、側面６によって境界を画されており、もって、蓋４は、底部１上に押下され得、これにより、閉じた箱形の包装を形成し得る。図示されているように、蓋４は、透明フィルムを設けられている第１透明開口部１２を有している。この第１透明開口部は、明らかになるように、挿入部材７における、後述の路と同じ形状を有している。更に、頂面は、第２透明開口部１３を有しており、この第２透明開口部１３は、やはり透明フィルムによって覆われていると共に、後述のように、挿入部材における別の区画室にマッチしている形状を有している。
【００２２】
蓋４と底部１との間には、挿入部材７が、設けられており、その挿入部材７は、好適に、真空付形工程においてプラスチック材料で作られており、そして、図から明らかなように、透明材料で作られ得る。挿入部材７は、頂面８を有しており、この頂面８には、細長い押込み部の形態の路９が、形成されており、その路９内には、本発明に従い、包装内に収められている製品からの、この場合には車両１１の形態のエレメントが配置されている。なお、原理的には、それは、ボール、橇、船舶、列車等のような他のエレメントであってもよい。
【００２３】
明らかであろうように、本発明に係る車両１１は、包装即ち挿入部材７を傾けることにより、単純な態様でトラック内を変位させられ得る。
【００２４】
好適に、蓋は、カートン又は板紙のような不透明な材料で作られており、この場合、前記開口部は打ち抜かれている。これは、頂面がマウント用又は印刷用の不透明表面１４を特徴としており、もって、包装内に収められている材料の他のエレメントを示している描写によって透明開口部が取り囲まれ、これにより、この文脈における可視の製品が単純な態様で陳列される、ということを、意味している。
【００２５】
その上、挿入部材７は、更に、別の区画室１０を形成している追加の押込み部を特徴としており、その区画室１０は、包装内に収められている製品の、図示されていない他のエレメントを収容し得る。
【００２６】
対応する態様で、図２は、本発明の代替実施例を示しており、この図２から、挿入部材７内に配置されている橋状エレメントによって路９が形成されているということは、明らかであろう。
【００２７】
従って、観察者は、路内に配置されている車両１１が橋状エレメントに沿って進むのを見ることができる。
【００２８】
このように、押込み部は、包装された玩具製品の構成物である、多数の追加のエレメントを収容し得、もって、玩具製品の使用によって達成され得る種々の機能が、明示され得る。
【００２９】
従って、図１に示されている包装の組立体によれば、蓋の頂面を上から見ている図３及び図４に示されている閉じた包装を達成することが、可能になるであろう。従って、明らかであろうように、挿入部材７における路９及び区画室１０を、透明開口部１２,１３を通して見ることが、可能であり、もって、路９に関しては、それによって路９内の車両１１が移動させられるような態様で閉じた包装を傾けることが、可能である。
【００３０】
以上のように、本発明によれば、包装された玩具製品であって、製品の包装を解く前に、且つ、留意されるであろうように、包装されている製品に触れることなく、その中に含まれている玩具と遊ぶことを可能にするものを提供することが、可能である。このことは、一の実施例における図に示されている。しかしながら、明らかに、包装の基本的な構成及び路９の形状における変更が、本発明の基本原理から逸脱することなく、なされ得、従って、示されている包装及び示されている実施例は、代表的な構成としてのみ解釈されるべきである。
【図面の簡単な説明】
【図１】
本発明に係る包装された玩具製品を、部分的に分解された状態で示している斜視図である。
【図２】
本発明に係る包装された玩具製品の代替実施例の、部分的に分解された図における斜視図である。
【図３】
図１に示されている包装された玩具組立製品の、組み立てられた状態における平面図である。
【図４】
図３に示されている包装された玩具製品の、組み立てられた状態における平面図である。